Podtech/llm-jp-corpus-v4-ja_patent huggingface dataset:
(57)【要約】      （修正有）【課題】足首の脊椎に対する圧力が低減し、腰部が保護され、且つ足の裏の圧力および振動を吸収し足の負荷を低減することができ、ユーザーが快適に運動することができること。【解決手段】主に、踏み上面層１の下にある靴足底層２の上では窪み部２１が一つ設けてあり、窪み部の内部には熱可塑性ゴム３が設けてあり、熱可塑性ゴムが踏み上面層にカバーされ、窪み部は、ユーザーの足弓と足首に対応して靴足底層に凹設され靴の足底の後半部を占め、熱可塑性ゴムは、窪み部の形状に合わせて窪み部内に設置され、その上面が人間工学によって人間の足弓と足首に対応し、踏み上面層により靴足底層をカバーした後、踏み上面層もユーザーの足弓と足首の曲面に対応する。【選択図】図１
0003121974.tif 000002
【実用新案登録請求の範囲】
【請求項１】
主に、踏み上面層の下にある靴足底層の上では窪み部が一つ設けてあり、
前記窪み部の内部には熱可塑性ゴムが設けてあり、
前記熱可塑性ゴムが踏み上面層にカバーされることを特徴とする、
スポーツシューズの構造。
【請求項２】
前記窪み部は、ユーザーの足弓と足首に対応して靴足底層に凹設され靴の足底の後半部を占めることを特徴とする、請求項１に記載のスポーツシューズの構造。
【請求項３】
前記熱可塑性ゴムは、前記窪み部の形状に合わせて前記窪み部内に設置され、その上面が人間工学によって人間の足弓と足首との曲面に対応し、踏み上面層により靴足底層をカバーした後、前記踏み上面層もユーザーの足弓と足首の曲面に対応することを特徴とする、請求項１に記載のスポーツシューズの構造。
【考案の詳細な説明】
【技術分野】
【０００１】
本考案は、スポーツシューズの構造に係り、特に、足の裏の圧力および振動を吸収し、足の負荷を低減でき、ユーザーが快適に運動できるスポーツシューズの構造に関するものである。
【背景技術】
【０００２】
従来のスポーツシューズは、図３と図４に示すように、主に、靴足底層９２の上面に踏み上面層９１を直接にカバーして構成されたものであり、上記スポーツシューズの使用方法は、軟性パッド９３を踏み上面層９１に設置した後、スポーツシューズを着用するのであり、前記軟性パッド９３により、足の裏の圧力および振動が吸収され、足の負荷を低減することができる。
【考案の開示】
【考案が解決しようとする課題】
【０００３】
しかしながら、上記の構造によれば、前記軟性パッド９３は、足の裏の圧力および振動を吸収し、足の負荷を低減する効果があるが、実際に、毎回の着用には、踏み上面層の上面に軟性パッドを設置することが必要であるので、使用が極めて不便であり、且つ長時間に歩行したと、軟性パッドはズレ易く、軟性パッドの本来の機能が発揮できない問題があった。
【課題を解決するための手段】
【０００４】
上記欠点を解決するためになされた本願の第１考案は、主に、踏み上面層の下にある靴足底層の上では窪み部が一つ設けてあり、前記窪み部の内部には熱可塑性ゴムが設けてあり、前記熱可塑性ゴムが踏み上面層にカバーされることを特徴とするスポーツシューズの構造であることを要旨としている。
【０００５】
本願の考案では、前記窪み部は、ユーザーの足弓と足首に対応して靴足底層に凹設され靴の足底の後半部を占めることを特徴とする、第１考案に記載のスポーツシューズの構造であることを要旨としている。
【０００６】
本願の考案では、前記熱可塑性ゴムは、前記窪み部の形状に合わせて前記窪み部内に設置され、その上面が人間工学によって人間の足弓と足首との曲面に対応し、踏み上面層により靴足底層をカバーした後、前記踏み上面層もユーザーの足弓と足首の曲面に対応することを特徴とする、第１考案に記載のスポーツシューズの構造であることを要旨としている。
【考案の効果】
【０００７】
本考案に係るスポーツシューズの構造によれば、次のような効果がある。
（イ）人間が走行しまたは歩いている際には、足首が人間の体重の2/3を受ける。踏み上面層の下にある靴足底層の上には窪み部が設けてあり、前記窪み部の内部には熱可塑性ゴムが設けてあるので、足首の脊椎に対する圧力が低減され、腰部が保護される。
【０００８】
（ロ）踏み上面層の下にある靴足底層の上では窪み部が設けてあり、前記窪み部の内部には熱可塑性ゴムが設けてある。熱可塑性ゴムは強靱な弾性力および耐磨耗性を有するので、足の裏の圧力および振動を吸収し足の負荷を低減することができ、ユーザーは快適に運動することができる。
【０００９】
（ハ）熱可塑性ゴムは、前記窪み部の内部に設置され、踏み上面層にカバーされるので、本考案に係るスポーツシューズを着用する前に、熱可塑性ゴムの位置を調整する必要がなくなり、即時に走行し又は歩くことができる。
【００１０】
（ニ）熱可塑性ゴムは、前記窪み部の内部に設置され、踏み上面層にカバーされるので、本考案に係るスポーツシューズを着用すると、熱可塑性ゴムはズレなく足の裏の圧力および振動を吸収し足の負荷を低減することができるので、ユーザーは快適に運動することができる。
【考案を実施するための最良の形態】
【００１１】
以下、添付図面を参照して本考案の好適な実施の形態を詳細に説明する。
【００１２】
まず、図１と図２を参照する。本考案に係るスポーツシューズの構造は、主に、踏み上面層１の下にある靴足底層２の上では窪み部２１が一つ設けてあり、前記窪み部２１の内部には熱可塑性ゴム３（TPR、Thermo Plastic Rubber）が設けてあり、前記熱可塑性ゴム３が踏み上面層１にカバーされる。
【００１３】
前記窪み部２１は、ユーザーの足弓と足首に対応して靴足底層２に凹設され靴の足底の後半部を占める。
【００１４】
本考案に係るスポーツシューズの構造の作製は、図１と図２に示すように、ユーザーの足弓と足首とに対応し靴の足底の後半部を占める靴足底層２に窪み部２１を凹設し、前記窪み部２１内に下面の形状が前記窪み部２１に対応する熱可塑性ゴム３を設置する。前記熱可塑性ゴム３の上面が人間工学によってユーザーの足弓と足首との曲面に対応する。踏み上面層１により靴足底層２をカバーした後、ユーザーの足の裏が前記踏み上面層１を踏む際には、ユーザーの足弓と足首との曲面は前記踏み上面層１にぴったりと対応でき、ユーザーは柔らかくて快適な接触感覚がする。
【図面の簡単な説明】
【００１５】
【図１】本考案の分解斜視図である。
【図２】本考案の側面断面図である。
【図３】従来のものの背面断面図である。
【図４】従来のものの使用状態を示す概略図である
【符号の説明】
【００１６】
１      踏み上面層
２      靴足底層
２１      窪み部
３      熱可塑性ゴム
９１      踏み上面層
９２      靴足底層
９３      軟性パッド
【図１】
0003121974.tif 000003
【図２】
0003121974.tif 000004
【図３】
0003121974.tif 000005
【図４】
0003121974.tif 000006
(57)【要約】      （修正有）【課題】安価で手指の運動が手軽にできつぼを刺激しやすい健康用具を提供する。【解決手段】木製の球形の握り部材とこの握り部材の表面に複数の金属製の突起が立設された手指健康用具であって、木製の球形の握り部材はその直径が３０〜３５ｍｍであり、金属製の突起は、その直径が５〜７ｍｍであって木製の球形の握り部材からの高さが６〜１０ｍｍであることを特徴とする手指健康用具。【選択図】図２
0003121962.tif 000002
【実用新案登録請求の範囲】
【請求項１】
木製の球形の握り部材とこの握り部材の表面に複数の金属製の突起が立設された手指健康用具。
【請求項２】
前記木製の球形の握り部材はその直径が３０〜３５ｍｍである請求項１の手指健康用具。
【請求項３】
前記金属製の突起は、その直径が５〜７ｍｍであって木製の球形の握り部材からの高さが６〜１０ｍｍである請求項１の手指健康用具。
【請求項４】
前記金属製の突起はその数が６〜１０本である請求項１の手指健康用具。
【請求項５】
前記金属製の突起は木製の球形の握り部分の表面に均一あるいは任意に立設された請求項１の手指健康用具。
【考案の詳細な説明】
【技術分野】
【０００１】
本考案は、手指の運動による手軽な健康用具の分野に関するものである。
【背景技術】
【０００２】
胡桃を手の中でまわしたり握ったりすることが健康に良いとされてきた。また起きぬけの寝ぼけた頭を活性化させるには両手の指を交互に組み合わせて揉み解すことでできるといわれている。これは手の運動や感覚は脳の神経細胞と密接に関係し、手を使うほど脳を刺激することになるとの見解と一致している。最近退職した人がピアノを習いボケ防止に役立てているとの話もある。さらに手指（以下、手としたときには手のひらと手の指が含まれ、手指としたときには手のひらと手の指を表現するものとする。）には多くのつぼがあり、これを刺激することで健康増進となることも言われている。そのため手指の運動を利用した健康用具が広く開発され販売されている。先行技術文献としては、掌握時に遊びが少なく手指全体に接触するグリップ（特許文献１）、可撓性のシートの一面側に複数の突起が立設された手指を刺激する器具（特許文献２）、手指柔軟健康器具（特許文献３）などがある。
【特許文献１】特許公開２００３−１１１８６４
【特許文献２】特許公開２００２−７８７７３
【特許文献３】登録実用新案第３０７８７４７号
【０００３】
しかし、上記発明や考案では、使用材料が高価であるとか手指のつぼを刺激する効果が少ないなどとの疑問点があった。そこで考案者は安価な入手しやすい材料を使用し、つぼを刺激しやすく、さらに癒しの効果をふまえた手指の運動による健康用具を試行錯誤し作製した。握りの形状は手の中で自在に回転しやすい球状とし、握りやすい大きさとして球の直径も検討した。握りの材質は木材として、その感触や匂いも考慮して癒しの効果を高めた。さらにつぼの効果を高めるために、該握り部材の表面に立設する複数の金属製の突起の直径及び該握り部材の表面からの高さを検討した。またその突起の数及び突起の相互間の位置等も検討した。
【考案の開示】
【考案が解決しようとする課題】
【０００４】
解決しようとする問題点は、安価で手指の運動が手軽にできつぼを刺激しやすい健康用具を提供することにある。
【課題を解決するための手段】
【０００５】
すなわち請求項１の考案は木製の球形の握り部材とこの握り部材の表面に複数の金属製の突起が立設された手指健康用具である。
球形としたのは手の中で自在に回転しやすいためであり、木製としたのは、握りの材質を木材と限定してその感触や匂いにより癒しの効果を高めるためである。突起は金属製とし皮膚の表面に流れる微弱電流を流してつぼを刺激するためである。金属には抗菌性があり、鉄、ステンレス、アルミニウム、チタンその他人体に有害でないものであればよい。一般的にはさびの発生がないステンレスが好ましい。
請求項２の考案は、前記木製の球形の握り部材はその直径が３０〜３５ｍｍである請求項１の手指健康用具である。球形の直径を３０〜３５ｍｍとしたのは金属製の突起の高さと手の開閉運動からの試行の結果からである。
請求項３の考案は、前記金属製の突起は、その直径が５〜７ｍｍであって木製の球形の握り部材からの高さが６〜１０ｍｍである請求項１の手指健康用具である。金属製の突起の直径を５〜７ｍｍ、高さを６〜１０ｍｍとしたのは手の中での回転のしやすさ及び握りやすさを試行した結果である。
金属製の突起は、木製の球状の握り部材に埋め込むため、埋め込み部はその直径を６〜８ｍｍとし埋め込み深さを５〜７ｍｍとした。金属製の突起部分は、その先端の周囲は縁取りがされているか半球上になっている。
請求項４の考案は、前記金属製の突起はその数が６〜１０本である請求項１の手指健康用具である。金属製の突起の数を６〜１０としたのは手指のつぼを刺激する効果を考慮したものである。
請求項５の考案は、前記金属製の突起は木製の球形の握り部分の表面に均一あるいは任意に立設された請求項１の手指健康用具である。均一あるいは任意にとしたのは、それぞれの突起がある程度離れていて、手指のつぼに中る効果があればよい。握りが球状であるため手指の中で自在に回転でき、突起は手指の各部に中るためである。
【考案の効果】
【０００６】
本考案の手指健康用具は安価で製作でき持ち運びができいつでも使用することができ、時には眠気をさましたり、起きぬけの寝ぼけた頭を活性化させるのに有用である。
【考案を実施するための最良の形態】
【０００７】
本考案の実施例を以下に示す。
【実施例１】
【０００８】
図１は、本考案手指健康用具の写真である。木製の球形の握り部分は、球状に加工された檜であり風呂に浮かばせて香りを出させるものであって市販されているので、これを利用した。その直径は約３０ｍｍである。また金属製の突起も棚の取り付け用として図３のようなピンが市販されておりこれを使用した。本手指健康用具表面の複数の金属製の突起は１０本ある。木製の球形の握り部分に金属製の突起が均一に配置されるように鉛筆で印をつけ、そこに孔を掘って上記ピンを埋め込み接着剤にて固定した。
【０００９】
本考案の試作品を車の運転中に眠気に誘われたときに使用した。車を止めて、約５分間この手指健康用具をもって手の開閉をしたが眠気はなくなった。
【産業上の利用可能性】
【００１０】
製作費が安価であり、持ち運びが自由でいつでも手軽に脳の活性化、癒し、健康増進を図ることができる。
【図面の簡単な説明】
【００１１】
【図１】本手指健康用具の全体写真
【図２】本手指健康用具説明図
【図３】金属製の突起の概略図
【符号の説明】
【００１２】
１  握り部材
２  金属製の突起
【図１】
0003121962.tif 000003
【図２】
0003121962.tif 000004
【図３】
0003121962.tif 000005
(57)【要約】【課題】  本考案は情報量の少ない備え付け看板により多くの情報を持たせることと、紙媒体（カタログ、パンフレット、フリーペーパー等）を置けるスペースを確保できる。【解決手段】  本考案は看板本体２に３Ｄレンズを使用することでより多くの情報を提供でき、看板本体２の上部にラック４を取り付けることにより紙媒体（カタログ、パンフレット、フリーペーパー等）を同時に提供できることになる。【選択図】  図１
0003121792.tif 000002
【実用新案登録請求の範囲】
【請求項１】
立体型床置看板に３Ｄ（立体型レンズ）を使用した屋外看板
【請求項２】
請求項１の看板に広告物、印刷物を収納するラックを組み合わせて使用でき立体型床置看板
【考案の詳細な説明】
【技術分野】
【０００１】  本考案は、屋外用看板に３Ｄレンズ及び印刷物、広告物を収納するラックを取り付けた屋内外用立体型看板に関するものである。
【背景技術】
【０００２】  街の中で見かける看板等は顧客に訴える情報量が少ない。
印刷物、広告物等（フリーペーパー）を設置する場所が少ない。
【考案の開示】
【考案が解決しようとする課題】
【０００３】  煩雑に街中にあふれる看板との差別化、多目的に使用可能となるラックを併設することにより、お店、会社の存在価値をより有効に伝えることができる。
【課題を解決するための手段】
【０００４】  本考案は、立体型看板に３Ｄレンズを使用し内面から照明を当て、夜間でも照明により遠方からでもはっきりと見分けられる看板とする。
また、その看板に収納ラックを取り付けて広告の促進を計り売上増進を目的とする。
【考案の効果】
【０００５】  従来型の看板では一般の人々に訴える効果が薄く看板としての効果がえられていない。
３Ｄレンズを使用することにより、店、会社、売りたい商品のアピールを鮮明なものにし、そのアピールでより詳しい情報がほしい客層に持ち帰り可能な広告物やサンプル等を陳列することができ、その宣伝効果は絶大なものとなる。
【考案を実施するための最良の形態】
【０００６】  立体型看板は、床置の屋外用のものと屋外用の壁掛け用のものと２種類作成する。
ラック収納型の看板は重量の関係があるため床置用専用とする。
床置屋外用、ラック収納床置用立体型看板はモーターを利用した回転型のラック看板とする。
人間が接触した際は停止する構造を採用し、寸法は条例に基づく範囲を超えない形状及び寸法とする。
【実施例】
【０００７】  以下貼付図面に従って実施例を説明する。１は金属製にて３Ｄ看板をささえるもの、２は耐久性のプラスチックス素材の３Ｄレンズで、中には蛍光灯が入っており電気で中から明るくする、３は３Ｄ看板を回すためのモーターが入っていて本考案本体の土台、４は耐久性のプラスチックス素材で紙媒体（カタログ、パンフレット、フリーペーパー等）を収納し、取り出し可能にする
【図面の簡単な説明】
【０００８】
【図１】本考案のラック付３Ｄレンズ使用立体型看板の一実施例を示す正面図である。
【符号の説明】
【０００９】  １  看板を支える柱
２  ３Ｄレンズ使用立体型看板
３  看板を支える土台
４  ラック
【図１】
0003121792.tif 000003
【手続補正書】
【提出日】平成18年2月15日(2006.2.15)
【手続補正１】
【補正対象書類名】実用新案登録請求の範囲
【補正対象項目名】全文
【補正方法】変更
【補正の内容】
【実用新案登録請求の範囲】
【請求項１】
立体型床置看板に３Ｄ（立体型）レンズを使用した屋外看板
【請求項２】
請求項１の看板に広告物、印刷物を収納するラックを組み合わせて使用できる立体型床置看板
(57)【要約】【課題】  本考案は、円すいロッド本体に、上ぶたと、樹脂ゴムと、フックを一体化にし、技術時間の短縮、且つ、毛髪の損傷を防ぐ。【解決手段】  本考案は、円すいロッド本体１に２と、３と、４が一体化になった上ぶた式樹脂ゴムフックを円すいロッド本体１の筒状に通し装着し、４を持ち上げ２の溝に引っ掛けることにより、技術時間の短縮、且つ、毛髪の損傷を防ぐ。【選択図】図３
0003121799.tif 000002
【実用新案登録請求の範囲】
【請求項１】
円すいロッド本体に、上ぶたと、樹脂ゴムと、フックを一体化にして、円すいロッドの筒に通す。
【考案の詳細な説明】
【技術分野】
【０００１】  本考案は、毛髪にカールをつける為に一体化した、円すいロッドに関するものである。
【背景技術】
【０００２】  従来より円すいロッドの端に輪ゴムを取り付けるか、輪ゴム内蔵型キャップ式ロッドはありました。
【考案の開示】
【考案が解決しようとする課題】
【０００３】  円すいロッドの端に輪ゴムを取り付けている形は、毛髪を巻き込む際に作業がしづらく、輪ゴ内蔵型キャップ式ロッドは装着しにくい。
【課題を解決するための手段】
【０００４】  本考案は、本体を一体化することによって、毛髪を巻き込む際に邪魔にならず、フック型にすることによって装着が簡単にできます。
【考案の効果】
【０００５】  上述の様に、本考案のパーマ用樹脂ゴム内蔵型フック式ロッドは一体化によって毛髪を巻き込みやすく、樹脂ゴムによって毛髪を傷めにくく、きずが入りにくい。
【考案を実施するための最良の形態】
【０００６】  本考案は、図１の円すいロッド本体１に図２の２と図２の３、図２の４が一体化になったキャップ式樹脂ゴムフック図２を図１の円すいロッド本体１の筒状に通し装着する。
【実施例】
【０００７】  以下、添付図面にそって図３の４を持ち上げて、図４の２の溝に引っ掛ける。
【図面の簡単な説明】
【０００８】
【図１】  円すいロッド本体
【図２】  上ぶたと、樹脂ゴムと、フックの一体化
【図３】  円すいロッド本体の断面図
【図４】  円すいロッド本体に、フックを引っ掛けた状態
【符号の説明】
【０００９】  １  円すいロッド本体
２  上ぶた
３  樹脂ゴム
４  フック
【図１】
0003121799.tif 000003
【図２】
0003121799.tif 000004
【図３】
0003121799.tif 000005
【図４】
0003121799.tif 000006
【手続補正書】
【提出日】平成18年2月16日(2006.2.16)
【手続補正１】
【補正対象書類名】実用新案登録請求の範囲
【補正対象項目名】全文
【補正方法】変更
【補正の内容】
【実用新案登録請求の範囲】
【請求項１】
円すいロッド本体に、上ぶたと、樹脂ゴムと、フックを一体化にして、円すいロッドの筒に通したことを特徴とするパーマ用樹脂ゴム内蔵型フック式ロッド。
(57)【要約】【課題】介護する横臥状態の身体を簡単に、少ない力で体位の変換をさせ寝返りさせる。寝返りや体位の変換により、床ずれを予防し介護の補助になる。【解決手段】空気の入る空気マットが膨らむ事により、体位の変換をさせ寝返りや横臥状態で支える事が出来る。。【選択図】図２
0003121779.tif 000002
【実用新案登録請求の範囲】
【請求項１】
空気を供給して膨らんだ空気マットにより体位の変換をさせ、寝がえりさせる。
二つの空気マットにより左側、右側どちらにも身体を傾け支えることができる。
電動空気ポンプはタイマーにより自由な時間間隔で動作させる事が出来る。
空気マットは左右で一組、膨らんだ時の断面は其々オムスビに似た形になる。
【請求項２】
空気マットの身体に接する部分の材質は、波状の凸凹状の形状にして通気性を確保し、さらに材質を選ぶ事により圧力が分散される材質にする。
【考案の詳細な説明】
【技術分野】
【０００１】本考案は、空気により空気マットを膨らませる事により体位の変換を容易にし、介護や看病の補助となる
床ずれ予防や、着替え。おむつ替えなどの時の身体の寝返り動作の補助に関するものである。
【背景技術】
【０００２】身体を起き上がらせる電動ベットや電動寝返り支援ベットがあるが、いずれも経済的な負担が多く、移動や設置やスペース占拠の点でも負担が大きい。
【考案の開示】
【考案が解決しようとする課題】
【０００３】体位変換を一人でも簡単にでき、寝返りさせる事が出来る。
スペースをとらず、ベットの上でも布団の上でも使用できる。
【課題を解決するための手段】
【０００４】空気を供給して膨らんだ空気マットにより、体位の変換をさせ、寝返りさせる。
二つの空気マットにより左側、右側どちらにも身体を支える事が出来る。
電動空気ポンプは、タイマーにより自由な時間間隔で動作させる事が出来る。
【考案の効果】
【０００５】スペースを占拠せず移動、設置が楽である。
介護する人の補助になり、安定した状態介護を続ける事が出来る。
設定により定期的に繰り返し動作が出来る。
【図面の簡単な説明】
【０００６】
【図１】頭頂部より見た図
【図２】横臥姿勢図
【符号の説明】
【０００７】Ａ＝左側空気マット
Ｂ＝右側空気マット
【図１】
0003121779.tif 000003
【図２】
0003121779.tif 000004
【手続補正書】
【提出日】平成17年9月30日(2005.9.30)
【手続補正１】
【補正対象書類名】実用新案登録請求の範囲
【補正対象項目名】全文
【補正方法】変更
【補正の内容】
【実用新案登録請求の範囲】
【請求項１】
左右一組の空気マットに空気を交互に供給して膨らませ、この膨らんだ空気マットにより体位の変換をさせ、寝がえりさせる。
【手続補正書】
【提出日】平成18年1月30日(2006.1.30)
【手続補正１】
【補正対象書類名】実用新案登録請求の範囲
【補正対象項目名】全文
【補正方法】変更
【補正の内容】
【実用新案登録請求の範囲】
【請求項１】
左右の独立した二つの空気マットを有し、前記空気マットは空気によりふくらみふくらんだ状態では、断面三角のオムスビ状の形状となることを特徴とする介護補助用空気マット。
(57)【要約】      （修正有）【課題】場所を選ばず何処でも机に変化する鞄の提供。【解決手段】一番大きな面が平らな伸縮型ベルト（肩又は首掛け用）を有する鞄の幅の部分に当たる両サイドの面の下部に伸縮型ベルト（腰固定用）を装着出来る様にし、体の腰部に固定出来るようにしたもので、伸縮型ベルト（肩又は首掛け用）を肩又は首に掛け、伸縮型ベルト（腰固定用）で鞄と体を固定します。固定することにより一番広い大きな面を横にすることが出来、大きな面を机とし使用することが可能になります。そこで、鞄を体に固定させて机に変化させれば両手は自由に使用できるようになり、作業途中でも移動が可能になります。【選択図】図１
0003121776.tif 000002
【実用新案登録請求の範囲】
【請求項１】
一番大きな面が平らな伸縮型ベルト（肩又は首掛け用）を有する鞄の幅の部分に当たる両サイドの面の下部に伸縮型ベルト（腰固定用）を装着出来る様にし、体の腰部に固定出来るようにしたもので、伸縮型ベルト（肩又は首掛け用）を肩又は首に掛け、伸縮型ベルト（腰固定用）で鞄と体を固定します。固定することにより一番広い大きな面を横にすることが出来、大きな面を机とし使用することが可能になります。
【考案の詳細な説明】
【技術分野】
【０００１】通常鞄は、物を入れて運ぶというのが基本的な機能ではありますが、この鞄を机の機能に変えることで、机を必要とするあらゆる場面で場所を選ばず使用することが出来、更に作業状態で移動が可能にすることが出来る。例えばノートパソコンの使用、読書、書物、ミーティング、食事等。これを使用することにより時間を有効活用でき、経済的効果はかなり大きいと考えます。【０００２】  本発明は、場所を選ばず何処でも机に変化する鞄に関するものである。
【背景技術】
【０００３】  従来の鞄は、物を入れて運ぶというだけの機能しか有しておりませんでした。例えばノートにメモを書こうとした際に鞄から取り出し、鞄を体から離して何処かに置いた上、且つ書く場所を確保してからでないとメモさえ書けない状態でした。机も通常大きな物で持ち歩くことが出来ない。また、似たような機能を持つ物に絵画に使用する画板や駅の弁当売りが使用している箱がかりますが、画板は単に紙を置く為の平らな面を作るという機能しか有しておらず腰部も固定されていない為、机本来の機能は無いといって良い。弁当売りが使用している箱は、物を乗せて持ち歩くことに重点が置かれその上で作業をする為の安定性に欠けていました。
【考案の開示】
【考案が解決しようとする課題】
【０００４】  従来の鞄は、物を運ぶという機能しかありませんでした。更に、運んだ物を使用しようとする時、鞄を体から離さなければ使用することが出来ず、出来たとしても両手を使用する為には、作業場所を選ばなければならないという課題が付き纏いました。本発明は、この課題を解消するためになされたものである。
【課題を解決するための手段】
【０００５】  本発明は、鞄の幅の部分に当たる両サイドの下部に腰固定用ベルトを装着することで鞄を体の腰部に固定出来るようにしたものである。
【考案の効果】
【０００６】  鞄の一番広い大きな面に机としての機能を持たせることで、鞄を体から離すことなく、両手が使用でき、作業場所を選ばずに作業が出来るようにしたものです。
鞄を体に固定してしまえば、両手が自由に使用できる為、動作に制約を受けなくなります。また、机上でしか出来ない作業を外で行うことは極めて困難でした。これに対し、鞄が机に変化することで、場所を選ばずに作業をすることが出来る事に加え、作業途中でも移動を可能にしたのです。更に、元の鞄に戻すのも簡単に戻りますので周囲の人に迷惑を掛ける事もありません。
【図面の簡単な説明】
【０００７】
【図１】横から見た全体図である。
【図２】正面図である。
【図３】側面図である。
【図４】鞄に取り付けるベルトである。
【図５】鞄留め金である。
【図６】鞄に取り付けるベルトの留め金である。
【符号の説明】
【０００８】    １    伸縮型ベルト
２    ベルト留め金
３    鞄留め金
４    留め金ネジ
【図１】
0003121776.tif 000003
【図２】
0003121776.tif 000004
【図３】
0003121776.tif 000005
【図４】
0003121776.tif 000006
【図５】
0003121776.tif 000007
【図６】
0003121776.tif 000008
【手続補正書】
【提出日】平成17年7月27日(2005.7.27)
【手続補正１】
【補正対象書類名】実用新案登録請求の範囲
【補正対象項目名】全文
【補正方法】変更
【補正の内容】
【実用新案登録請求の範囲】
【請求項１】
通常のボックスタイプの鞄の取っ手の付いている面を上面、対向する面を底面と見た場合、上面に接する面のうち一番広い面を有する対向する面のいずれか一面を正面とし、その正面に対向する面を裏面とした場合、その正面に接する上面及び底面以外の対向する面を側面として、その対向する両側面に別々の二つのベルトを留める為の留め具を両側面対向して設置する。留め具の設置位置は、側面の上面に近い位置と底面に近い位置に設置するものであり、留め具はそれぞれ両側面対向して位置している一対のものである。
【手続補正書】
【提出日】平成17年11月26日(2005.11.26)
【手続補正１】
【補正対象書類名】実用新案登録請求の範囲
【補正対象項目名】全文
【補正方法】変更
【補正の内容】
【実用新案登録請求の範囲】
【請求項１】
おおむね直方体形状をしているビジネスタイプの鞄に机としての機能を設ける為、肩または首を利用して鞄を支えるベルトと鞄と腰を固定させるベルトを設けたことにより、鞄の一番広い面を作業をする為の面として利用が可能になり鞄が机としての機能を果たすもので、その直方体形状の鞄において、
（１）  通常握りの付いている面を上面、その対向面を底面、上面に接する４面のうち一辺の長さが長い辺を有する２面のうち通常鞄の表に当たる面を正面、その対向面を裏面、一辺の長さが短い辺を有する対向する２面を側面とする。
（２）  首又は肩を利用して鞄の表面又は裏面を上面と出来るように支える為のベルトを取付ける為、対向する両側面の上面又は底面に近い位置で安定して表面又は裏面を上面として使用が出来る位置に留め金を対向して設ける。
（３）  腰を利用して鞄の表面又は裏面を上面と出来るように体に固定するベルトを取付ける為、対向する両側面の上面又は底面に近い鞄と体が固定出来る位置に留め金を対向して設ける。
（４）  （２）、（３）の留め金に留めるそれぞれのベルト
以上からなる机の機能を持たせた鞄
(57)【要約】      （修正有）【課題】屋根等に簡単に取り付け、且つ除去できる、取り扱い容易に使い捨て式消雪シートを提供する。【解決手段】消雪シートは、長尺シートの一方の面に、この面に積もった雪を滑り易くするための材料をコーティングし、他方の面に粘着剤をコーティングしたものを他方の面が外側となるようロール状に巻き取って構成したことを特徴とする消雪シート。【選択図】図１
0003121711.tif 000002
【実用新案登録請求の範囲】
【請求項１】
長尺シートの一方の面に、この面に積もった雪を滑り易くするための材料をコーティングし、他方の面に粘着剤をコーティングしたものをロール状に巻き取って構成したことを特徴とする消雪シート。
【請求項２】
上記粘着剤をコーティングした上記他方の面が外側となるよう巻き取られていることを特徴とする請求項１記載の消雪シート。
【考案の詳細な説明】
【技術分野】
【０００１】
本考案は屋根に張設することによって着雪を防止せしめるようにした消雪シートに関するものである。
【背景技術】
【０００２】
従来、屋根そのものを着雪防止機能を有する材料で構成したものとしては特許文献１及び２が知られている。
【特許文献１】特開２００２−３６３９２０号公報
【特許文献２】特開２００４−３１６２４８号公報
【考案の開示】
【考案が解決しようとする課題】
【０００３】
一般に豪雪地帯では着雪防止機能が短期間でその効力を失うことが多い。
【０００４】
然しながら、上記従来のものでは何れも半永久的構造物と消雪シートが一体化されたものであり、その取付、交換が簡単にはできないという欠点があった。
【０００５】
本考案は上記のような欠点を除くようにしたものである。
【課題を解決するための手段】
【０００６】
本考案の消雪シートは、長尺シートの一方の面に、この面に積もった雪を滑り易くするための材料をコーティングし、他方の面に粘着剤をコーティングしたものをロール状に巻き取って構成したことを特徴とする。
【０００７】
また、本考案の消雪シートにおいては、上記粘着剤をコーティングした上記他方の面が外側となるよう巻き取られていることを特徴とする。
【考案の効果】
【０００８】
本考案の消雪シートによれば、これを極めて容易に屋根上に設けることができると共に、その除去も極めて簡単になし得るようになる。
【考案を実施するための最良の形態】
【０００９】
以下図面によって本考案の実施例を説明する。
【実施例１】
【００１０】
本考案においては図１に示すように例えば幅５００ｍｍの布等の伸縮可能で且つ焼却可能な材料の織物の長尺シート１の一方の面２にこの面に積もった雪を滑り易くするための例えばオレフインをコーティングし、他方の面３に、この面が屋根上面を構成する屋根瓦やトタン板等の対象物（図示せず）に容易に接着されるよう従来公知の任意の粘着剤をコーティングしたものを、ロール状に巻き取って消雪シート４を構成せしめる。
【００１１】
なお、上記粘着剤３がコーティングされた他方の面が外側となるようにロール状に巻き取るのがその屋根に取り付ける際の取り扱い上好ましい。
【００１２】
本考案の消雪シートは上記のような構成であるからその持ち運びが便利であると共に、ロール状の消雪シート４を屋根上で展開し引張しながらこれを容易且つ簡単に任意の形状の屋根上に張り付けることができ、消雪シート４の上面に積もった雪は屋根の傾斜により自然に滑り落ちるようになるため積雪を極めて容易に防止することができるようになる。
【００１３】
また、消雪シートの消雪機能が劣化したときや、冬期のシーズンが終れば容易にこれを引き剥がして焼却でき、また、交換できるようになる。
【図面の簡単な説明】
【００１４】
【図１】本考案の消雪シートの一部を展開して示した斜視図である。
【符号の説明】
【００１５】
１  長尺シート
２  一方の面
３  他方の面
４  消雪シート
【図１】
0003121711.tif 000003
(57)【要約】【課題】主婦等が手軽に内転筋を鍛えることのできる敷きマットを提供すること。【解決手段】マット本体１に、両足裏を所定間隔を置いて載せる一対の足載せ領域２，２が形成され、この足載せ領域２，２は、載せた両足裏が外側から内側へ向けて下方傾斜するように構成されている。足載せ領域２，２は、足裏の土踏まずを載せる部分２０，２０がそれ以外の部分２１，２１よりも窪んでいる。【選択図】図１
0003121715.tif 000002
【実用新案登録請求の範囲】
【請求項１】
マット本体（１）に、両足裏を所定間隔を置いて載せる一対の足載せ領域（２，２）を備え、この足載せ領域は、載せた両足裏が外側から内側へ向けて下方傾斜するように構成されていることを特徴とする内転筋を鍛えるための敷きマット。
【請求項２】
前記足載せ領域は、足裏の土踏まずを載せる部分（２０，２０）がそれ以外の部分（２１，２１）よりも窪んでなることを特徴とする請求項１に記載の敷きマット。
【請求項３】
前記マット本体がタオル地からなることを特徴とする請求項１又は２に記載の敷きマット。
【考案の詳細な説明】
【技術分野】
【０００１】
本考案は、内転筋を鍛えるための敷きマットに関するものである。
【背景技術】
【０００２】
内転筋とは、両足太腿の内側の筋肉である。この内転筋が衰えると、股関節を正しい状態に保つことができなくなり腰痛の原因ともなる。そのため、内転筋を鍛える様々なエクササイズがあるが、エクササイズでは高齢者等が気軽に内転筋を鍛えることができない。又、主婦が家事等をしながら手軽に鍛えることもできない。
【考案の開示】
【考案が解決しようとする課題】
【０００３】
本考案が解決しようとする課題は、このような点に鑑み、高齢者や主婦等が手軽に内転筋を鍛えることのできる敷きマットを提供することにある。
【課題を解決するための手段】
【０００４】
前記した課題を解決するために、本発明に係る内転筋を鍛えるための敷きマットは、マット本体に、両足裏を所定間隔を置いて載せる一対の足載せ領域を備え、この足載せ領域は、載せた両足裏が外側から内側へ向けて下方傾斜するように構成されている。
【０００５】
好ましくは、前記足載せ領域は、足裏の土踏まずを載せる部分がそれ以外の部分よりも窪んでなる。
【０００６】
更に好ましくは、前記マット本体がタオル地からなる。
【考案の効果】
【０００７】
本考案に係る敷きマットは、前記のように構成されており、一対の足載せ領域が形成されている。そして、使用者が両足を開いた状態でこの足載せ領域に載せた際、両足裏の外側から内側へ下方傾斜した状態になるよう構成されている。これにより、単にマットの上に立ったまま暫く静止するだけで、無意識に両足太腿の内側に力が入るため、内転筋を効率よく気軽に鍛えることができる。
【考案を実施するための最良の形態】
【０００８】
以下、添付図面に基づき、本考案に係る敷きマットについて詳細に説明する。図１は、本考案に係る敷きマットを示す平面図である。図２は、図１に示すＩ−Ｉ線断面図である。図３は、敷きマットの使用状態を示す斜視図である。
【０００９】
図１に示すように、本考案に係る敷きマットは、全体がマット本体１で構成されている。マット本体１は、本例ではタオル地であるが布製等であってもよい。マット本体１に、一対の足載せ領域２，２が形成されている。この足載せ領域２，２は、使用者の両足裏に対応した形状をなしている。使用者の両足が軽く開いた状態で、足載せ領域２，２に両足裏を載せることができるように、各足載せ領域２，２は、所定間隔Ｗを置いて配置されている。
【００１０】
図１及び図２に示すように、各足載せ領域２，２は、使用者の足裏の土踏まずを載せる部分２０，２０が、それ以外の部分２１，２１に比べて窪むように形成されている。本例では、符号２１の部分の上面が、マット本体１の上面より高さＨ１（５ｍｍ程度）だけ下方に配されており、符号２０の部分の上面が、符号２１の上面より高さＨ２（５ｍｍ程度）だけ下方に配されている。即ち、足載せ領域２は、土踏まず部分２０と、土踏まず部分２０より高さＨ２だけ上方にある土踏まず以外の部分２１と、により階段状に構成されている。尚、高さＨ１，Ｈ２は上記の寸法に限定されない。
【００１１】
この敷きマットを使用する際には、図３の如く、使用者は両足１００，１００を若干開いて、両足裏を各足載せ領域２，２に載せる。前記で説明したように、足載せ領域２は土踏まず部分２０が窪んでいるので、使用者の両足裏が外側（土踏まずに対向する側）から内側（土踏まず側）へ向けて下方傾斜する。この状態で暫く（１０秒程度が好ましい）静止することにより、使用者の両足の内転筋１０１，１０１を、無意識に使用して効率よく鍛えることができる。
【００１２】
上記の実施例では、足載せ領域２は土踏まず部分２０とそれ以外の部分２１とを階段状に構成したが、要は、この足載せ領域２に載せた両足裏が外側から内側へ向けて下方傾斜すればよく、階段状でなく緩やかに傾斜した構成でもよい。
【図面の簡単な説明】
【００１３】
【図１】本考案に係る敷きマットを示す平面図である。
【図２】図１に示すＩ−Ｉ線断面図である。
【図３】敷きマットの使用状態を示す斜視図である。
【符号の説明】
【００１４】
１  マット本体
２  足載せ領域
２０  土踏まず部分
２１  土踏まず以外の部分
【図１】
0003121715.tif 000003
【図２】
0003121715.tif 000004
【図３】
0003121715.tif 000005
(57)【要約】【課題】温度変化によりパネル材に伸縮が生じたときでも、音が生じないようにした外装パネルを提供する。【解決手段】断面略三角形状の突条３を連続的に繰り返してなる形状を備えていることを特徴とする外装パネル。換言すれば、外装パネル１は、断面略三角形状の突条（山部）３と断面略三角形状の谷部５とを交互に連続的に繰り返してなる形状を備えている。外装パネル１は、一側縁に係止部７を備え、他側縁に受け部９を備えている。【選択図】図１
0003121764.tif 000002
【実用新案登録請求の範囲】
【請求項１】
断面略三角形状の突条を連続的に繰り返してなる形状を備えていることを特徴とする外装パネル。
【考案の詳細な説明】
【技術分野】
【０００１】
本考案は、建物の外装パネルに関するものである。
【背景技術】
【０００２】
外装パネルとしては、従来より種々の金属製パネルが用いられている。
【０００３】
例えば実開平５−８７１２６号公報には、略平板状の外装パネルが開示されている。
【特許文献１】実開平５−８７１２６号公報
【考案の開示】
【考案が解決しようとする課題】
【０００４】
しかるに、上記従来の外装パネルは、温度変化によるパネル材の伸縮時に音が生ずるという問題がある。
【０００５】
本考案は、上記従来の外装パネルにおける上述の問題を解決し、温度変化によりパネル材に伸縮が生じたときでも、音が生じないようにした外装パネルを提供しようとしてなされたものである。
【課題を解決するための手段】
【０００６】
上記課題を解決するために、本考案は下記の外装パネルを提供する。
【０００７】
断面略三角形状の突条を連続的に繰り返してなる形状を備えていることを特徴とする外装パネル。
【０００８】
［考案の作用］
本考案による外装パネルは、従来の外装パネルと同様に、建物の外面に取り付けられる。
【０００９】
温度変化に伴ってパネル材が伸縮したときには、外装パネルは各突条の高さを変える方向に変形することによりパネル材の伸縮を吸収する。
【００１０】
即ち、パネル材が伸張したときには、外装パネルは、図１の符号ａに示すように、突条の高さを大きくする方向に変形することによりパネル材の伸張を吸収する。
【００１１】
また、パネル材が収縮したときには、外装パネルは、図１の符号ｂに示すように、突条の高さを小さくする方向に変形することによりパネル材の伸張を吸収する。
【考案の効果】
【００１２】
本考案によれば、前述の如く、温度変化に伴ってパネル材が伸縮したときには、外装パネルは各突条の高さを変える方向に変形することによりパネル材の伸縮を吸収するため、外装パネルにおける他の外装パネルとの連結部ないし建物のパネル支持体に対する固着部に無理な力が加わることがない。その結果、温度変化によりパネル材に伸縮が生じたときでも、音が生ずるおそれはない。
【考案を実施するための最良の形態】
【００１３】
符号１に示すものは本考案による外装パネルである。
【００１４】
外装パネル１は、断面略三角形状の突条３、３・・・を連続的に繰り返してなる形状を備えている。
【００１５】
換言すれば、外装パネル１は、断面略三角形状の突条（山部）３と断面略三角形状の谷部５とを交互に連続的に繰り返してなる形状を備えている。
【００１６】
図示の外装パネル１は、一側縁に係止部７を備え、他側縁に受け部９を備えている。
【００１７】
即ち、一つの外装パネル１を別の外装パネル１’と継合する際には、当該一つの外装パネル１における係止部７を当該別の外装パネル１’における受け部９に係止させる。
【００１８】
外装パネル１は断面略三角形状の突条３、３・・・が上下方向になるように配設してもよいが、断面略三角形状の突条３、３・・・が左右方向になるように配設してもよい。
【００１９】
外装パネル１は、例えば、鉄、ステンレス鋼、銅等の金属により形成する。
【００２０】
外装パネル１の板厚は、一例として０．４ｍｍとする。外装パネル１の大きさと形状は随意であるが、一例として、長さ１８０ｃｍ、幅３０３ｍｍとする。
【図面の簡単な説明】
【００２１】
【図１】本考案による外装パネルを示す平面図である。
【図２】同上外装パネルを継合した状態を示す平面図である。
【符号の説明】
【００２２】
１  外装パネル
１’  外装パネル
３  突条
５  谷部
７  係止部
９  受け部
【図１】
0003121764.tif 000003
【図２】
0003121764.tif 000004
(57)【要約】【課題】  本考案は従来の型焼き製法に較べて飛躍的に製造能率を向上して生産することができ、しかも新鮮な味わいと美しい形状を持つ生地にて餡包みしたちんすこうを新規に提供するものである。【解決手段】   本考案は小麦粉などのちんすこう生地と紅芋などの餡を各別に投入する送り出し機構付の２つのホッパーを下部において合体して中央下の繰出し口より餡の全面を生地にて包んでなる餡包み生地をカッター切りして連続繰出し落下形成し、該餡包み生地をオーブンにて焼き上げて楕円形，球体形または半球体形などの餡包みちんすこうとすることを特徴とする生地にて餡包みしたちんすこうにある。【選択図】図１
0003121734.tif 000002
【実用新案登録請求の範囲】
【請求項１】
小麦粉などのちんすこう生地と紅芋などの餡を各別に投入する送り出し機構付の２つのホッパーを下部において合体して中央下の繰出し口より餡の全面を生地にて包んでなる餡包み生地をカッター切りして連続繰出し落下形成し、該餡包み生地をオーブンにて焼き上げて楕円形，球体形または半球体形などの餡包みちんすこうとすることを特徴とする生地にて餡包みしたちんすこう。
【請求項２】
餡包み生地はコンベア上に落下載上させ、そのままトンネル型を含むオーブンに送って連続して焼き上げる請求項１に記載の生地にて餡包みしたちんすこう。
【考案の詳細な説明】
【技術分野】
【０００１】
この考案は生地にて餡包みしたちんすこうに関するものである。
【背景技術】
【０００２】
ちんすこうは、菓子として小麦、砂糖、ラードなどの油脂等を混ぜ合わせた可塑性のある生地を型に入れて形を作ってから焼き上げて製造する沖縄県地方の代表的な菓子として知られている。このちんすこうの生地には上記のほかに多くの食材を混ぜ合わせ、さらにはチョコレートチップを載せ、チョコレートコーティングするなどのものもある。
【特許文献１】なし
【考案の開示】
【考案が解決しようとする課題】
【０００３】
しかしながら、従来のちんすこうは生地を型に入れて先づ形を作ってから焼き上げることによって、他種の材料を混ぜたりしても一種の焼き菓子としての風味しか生じないという課題があった。しかして、ちんすこうの材料中に餡を混合させるとしても、混合では他の材料の味が加わるために餡本来の味、混りのない純粋な餡の味を味わうことはできないという課題があった。
【課題を解決するための手段】
【０００４】
本考案は、小麦粉などのちんすこう生地と紅芋などの餡を各別に投入する送り出し機構付の２つのホッパーを下部において合体して中央下の繰出し口下より餡の全面を生地にて包んでなる楕円形の餡包み生地を連続落下するようにして形成し、該餡包み生地をオーブンにて焼き上げて球体形，または半球体形とする美しい形の餡包みちんすこうを形成して、外側の生地の風味と中の餡の風味、つまり２色の風味を味わえるようにして、かかる課題を解決したのである。
【考案の効果】
【０００５】
本考案は、従来の型による個別生地の形成から、中央下の繰出し口より生地にて餡を包み込んで連続落下するようにして餡の包み生地を形成して、コンベアに載せてオーブンにて焼くようにしたので、球体形または半球体形という美しい形とともに、ちんすこうの内と外の風味を倍加して味わうことができるという効果を生ずる。
【０００６】
生地にて餡包みしたちんすこうは、外側が生地の風味であって。中は餡の風味として２色の風味を併せ持つという効果を生ずる。また生地にて餡包みしたちんすこうは、餡をちんすこう生地で包む作業を機械化しオーブンを通すという流れ生産によって、その製造能率を飛躍的に向上させることができるという効果を生ずる。
【考案を実施するための最良の形態】
【０００７】
本考案は、生地と餡の２つの隣り合わせホッパーの投入口下を合体して中央下の繰出し口より繰出す餡包み生地を順次楕円形に裁断してコンベア上に載上し、オーブンで順次焼き上げて球体形または半球体形の餡包みちんすこうとするのである。本考案のちんすこうは、外側をちんすこう生地、内側を餡として分けたので、外側にてちんすこうの味を楽しむことができるほか、内側にて混りのない純粋な餡の味を楽しむことができることとなる。
【実施例１】
【０００８】
図１は本考案の生地にて餡包みしたちんすこうの製造工程を示すもので、隣り合わせに設ける生地送り出し用のホッパー１と餡送り出し用のホッパー２を下部にて合体して中央下に繰出し口３を設ける。互いに可塑性を有すちんすこうの生地Ａと紅芋などの餡Ｂをホッパー１，２に投入すると、各ホッパー１，２内のスクリュー軸１ａ，２ａの回転送り出し作動により生地Ａを外、餡Ｂを内にして繰出し口３より繰出す。そこで図２（ｂ）（ｃ）に示すように周囲から６枚構成等のカッター４の進退にて生地Ａが餡Ｂを包み込むように合わせ閉じしつつ楕円形に裁断して走行する下方のベルトコンベア５上に落載して順次並列させる。ベルトコンベア５上に並列した餡包み生地Ｃは楕円状となる。餡包み生地Ｃはトンネル型のオーブン６内を通る過程で焼き上げられて、半球体形盛り上がり形の美しい形状となる。以上のようにして本考案の餡包みちんすこうＤは生地配合と餡の配合を調整し、餡を包む作業を自動機械化して能率良く製造することができる。なおオーブン６はコンベア５の走路とは別に設けることもある。
【０００９】
こうして製造された生地にて餡包みしたちんすこうＤは、楕円形，球体形，半球体形などの美しい仕上がり形状となって、外側は本来のちんすこうの味と食感があり、中の餡Ｂは和菓子のような甘い味をかもし出して従来にない新鮮な風味のちんすこうを楽しむことができることとなる。
【実施例２】
【００１０】
図４は餡包みしたちんすこうの他の形成例であって、（ａ）は裁断の際に絞り閉じしてねじり形を刻むようにしたもの、（ｂ）は切口を閉じないで中の餡Ｂを見えるように形成した例を示すものである。
【産業上の利用可能性】
【００１１】
本考案は、紅芋を主材料とする餡、パイナップル等の果肉を主材料とする餡、黒糖餡，クリーム餡など各種の餡をちんすこう生地にて包んでなる新規の餡包みちんすこうを形成することで広く利用することができるものである。
【図面の簡単な説明】
【００１２】
【図１】本考案の生地にて餡包みしたちんすこうの製造工程を示す説明図
【図２】（ａ）は同、裁断落下の状態を示す拡大図、（ｂ）（ｃ）はカッターによる裁断部分を示す平面図
【図３】半割りして見せる餡包みちんすこうの拡大斜視図
【図４】（ａ）乃至（ｂ）は餡包みちんすこうの他例を示す斜視図
【符号の説明】
【００１３】
１は生地送り出し用のホッパー
２は餡送り出し用のホッパー
１ａ，２ａはスクリュー軸
３は繰出し口
４はカッター
５はベルトコンベア
６はオーブン
Ａはちんすこうの生地
Ｂは各種の餡
Ｃは餡包み生地
Ｄは生地にて餡包みしたちんすこう
【図１】
0003121734.tif 000003
【図２】
0003121734.tif 000004
【図４】
0003121734.tif 000005
【図３】
0003121734.tif 000006